(57)【要約】【課題】基板サイズが大きい場合でも、パネル面内における有機膜の膜厚ばらつきを低減し、パネル発光むらが低減された有機ＥＬパネルを製造する。【解決手段】有機ＥＬパネルの製造方法は、基板１０上に有機ＥＬ材料を含む塗布液を塗布することにより塗布膜５５ａを形成する塗布工程と、基板１０を、チャンバー６９０内でステージ６１０上に載置し、基板１０に対向するように配置されると共に複数の開口部６２３が設けられた蓋部６２１と基板１０の周囲を囲む側壁部６２２とを有するキャップ６２０で覆った状態で、チャンバー６９０内の気体を排気することにより塗布膜５５ａを乾燥させる乾燥工程とを備える。【選択図】図７
2007234390.tif 000002
【特許請求の範囲】
【請求項１】
基板上に有機ＥＬ材料を含む塗布液を塗布することにより塗布膜を形成する塗布工程と、
前記基板を、チャンバー内でステージ上に載置し、前記基板に対向するように配置されると共に複数の開口部が設けられた蓋部と前記基板の周囲を囲む側壁部とを有する排気調整具で覆った状態で、前記チャンバー内の気体を排気することにより前記塗布膜を乾燥させる乾燥工程と
を備えたことを特徴とする有機ＥＬパネルの製造方法。
【請求項２】
前記塗布液は、沸点が２００℃以上である高沸点溶媒を含むことを特徴とする請求項１に記載の有機ＥＬパネルの製造方法。
【請求項３】
前記複数の開口部は、前記蓋部において均一に形成されることを特徴とする請求項１又は２に記載の有機ＥＬパネルの製造方法。
【請求項４】
前記複数の開口部の各々の開口面積は、前記基板の中央部に近い程大きいことを特徴とする請求項１又は２に記載の有機ＥＬパネルの製造方法。
【請求項５】
前記乾燥工程は、前記ステージの温度を、前記塗布膜の表面温度よりも高い第１所定温度に維持するように制御すると共に、前記排気調整具の温度を、前記表面温度よりも高い第２所定温度に維持するように制御することを特徴とする請求項１から４のいずれか一項に記載の有機ＥＬパネルの製造方法。
【請求項６】
前記第１所定温度は、前記基板の中央部に近い程高いことを特徴とする請求項５に記載の有機ＥＬパネルの製造方法。
【請求項７】
前記ステージと前記側壁部と間に、互いに熱が移動するのを妨げる断熱部材が設けられることを特徴とする請求項５又は６に記載の有機ＥＬパネルの製造方法。
【請求項８】
基板上に有機ＥＬ材料を含む塗布液を塗布することによって塗布膜を形成する塗布工程と、
前記基板を、チャンバー内でステージ上に載置し、前記ステージの温度を前記塗布膜の表面温度よりも高い所定温度に維持するように制御した状態で、前記チャンバー内の気体を排気することにより前記塗布膜を乾燥させる乾燥工程と
を備えたことを特徴とする有機ＥＬパネルの製造方法。
【請求項９】
前記所定温度は、前記基板の中央部に近い程高いことを特徴とする請求項８に記載の有機ＥＬパネルの製造方法。
【請求項１０】
基板上に有機ＥＬ材料を含む塗布液が塗布されることによって塗布膜が形成された後に、前記塗布膜を乾燥させる有機ＥＬパネルの製造装置であって、
前記基板を載置するためのステージと、
前記基板の上方を覆うと共に複数の開口部が設けられた蓋部と前記基板の周囲を囲む側壁部とを有する排気調整具と、
前記ステージ及び前記排気調整具が内部に配設されるチャンバーと、
前記チャンバー内の気体を排気する排気手段と
を備えたことを特徴とする有機ＥＬパネルの製造装置。
【請求項１１】
基板上に有機ＥＬ材料を含む塗布液が塗布されることによって塗布膜が形成された後に、前記塗布膜を乾燥させる有機ＥＬパネルの製造装置であって、
前記基板を載置するためのステージと、
前記ステージの温度を所定温度に保つように制御する温度制御手段と、
前記ステージが内部に配設されるチャンバーと、
前記チャンバー内の気体を排気する排気手段と
を備えたことを特徴とする有機ＥＬパネルの製造装置。
【発明の詳細な説明】
【技術分野】
【０００１】
本発明は、有機ＥＬ(Electro-Luminescence）パネルの製造方法及び装置の技術分野に関する。
【背景技術】
【０００２】
この種の有機ＥＬパネルの製造方法では、有機ＥＬの画素は、基板上の画素領域に、インクジェット法等を用いて、液体状の高分子有機材料を塗布して有機膜を形成し、次いで、その基板を乾燥処理することで溶媒を除去し、有機膜を硬化させる乾燥工程を有して形成される（例えば、特許文献１参照）。従来、このような有機膜を硬化させる硬化乾燥方法としては、減圧状態で乾燥させる減圧乾燥が用いられることが多い。例えば、有機膜が塗布された複数のウェハは、気密に構成された減圧乾燥装置の炉をなすオーブンの内部に収容される。オーブンの内部は、負圧に設定され、その内部にガスが供給され、熱線等により温度を上げると共に、そのオーブン内で発生した熱気流を排気口から排気され得るようになっている（例えば、特許文献２から４参照）。
【０００３】
【特許文献１】特開２００５−３１０７０９号公報
【特許文献２】特開平７−１８３２０６号公報
【特許文献３】特開平５−３１５２３６号公報
【特許文献４】特開２００２−２４６３０５号公報
【発明の開示】
【発明が解決しようとする課題】
【０００４】
ところで、このような減圧乾燥によって有機膜を硬化させる場合、基板の周囲から乾燥が進むため、基板の中央部、周辺部での乾燥速度の違いによる膜厚ばらつきが生じるおそれがあるという技術的問題点がある。特に、基板サイズが大きい程、このような膜厚ばらつきが大きくなり易く、面内の膜厚均一性を得ることが困難であるという技術的問題点がある。
【０００５】
本発明は、例えば上述した問題点に鑑みなされたものであり、基板サイズが大きい場合でも、パネル面内における有機膜の膜厚ばらつきを低減でき、パネル発光むらが低減された有機ＥＬパネルを製造するための有機ＥＬパネルの製造方法及び装置を提供することを課題とする。
【課題を解決するための手段】
【０００６】
本発明の第１の有機ＥＬパネルの製造方法は、上記課題を解決するために、基板上に有機ＥＬ材料を含む塗布液を塗布することにより塗布膜を形成する塗布工程と、前記基板を、チャンバー内でステージ上に配置し、前記基板に対向するように配置されると共に複数の開口部が設けられた蓋部と前記基板の周囲を囲む側壁部とを有する排気調整具で覆った状態で、前記チャンバー内の気体を排気することにより前記塗布膜を乾燥させる乾燥工程とを備える。
【０００７】
本発明の第１の有機ＥＬパネルの製造方法によれば、例えばインクジェット法（即ち、液滴吐出法）等の塗布法を用いて塗布液を、例えば各画素に個別に複数の凹部が設けられた基板上に塗布することにより塗布膜を形成する。このように形成された塗布膜を乾燥させることによって、例えば凹部毎に互いに電気的に分離された発光層を形成する。このような発光層は互いに独立して発光でき、例えば複数の凹部の各々に赤色、緑色及び青色の各々の色に発光する有機ＥＬ材料を含む塗布液を塗り分けて発光層を形成することで、フルカラーの画像表示が可能となる。
【０００８】
本発明の第１の有機ＥＬパネルの製造方法では特に、基板を、チャンバー内でステージ上に載置し、基板に対向するように配置されると共に複数の開口部が設けられた蓋部と基板の周囲を囲む側壁部とを有する排気調整具で覆った状態で、チャンバー内の気体を排気することにより塗布膜を真空或いは減圧乾燥させる。即ち、先ず、基板上に塗布液を塗布した後、塗布膜が形成された基板をチャンバー内のステージ上に載置する。次に、例えば同じ形状を有する複数の開口部が例えば等間隔で設けられた蓋部と蓋部の周囲を囲むように設けられた側壁部とを有する排気調整具で、基板を覆う。排気調整具は、例えばキャップ状の部材からなり、以下のように、塗布膜を乾燥する際の排気速度或いは排気方向を調整する機能を有する。即ち、基板の塗布膜が形成された基板面は、複数の開口部が設けられた蓋部によって覆われ、基板の周囲は、側壁部によって囲まれる。次に、このように基板を複数の開口部が設けられた排気調整具で覆った状態で、チャンバー内の気体を排気することにより、塗布膜を乾燥させる、即ち、塗布膜に含まれる溶媒を除去する。よって、塗布膜に含まれる溶媒が気化した気体を、排気調整具の内部から複数の開口部を介して排気調整具の外部へ排気させ、更にチャンバー外へと排気させることができる。即ち、基板をこのような複数の開口部が設けられた排気調整具によって覆うことにより、塗布膜に含まれる溶媒が気化した気体（即ち、溶媒が蒸発した溶媒蒸気）を排気する排気方向或いは排気速度を、基板面内における位置によらず殆ど一定にする、即ち均一にすることができる。より具体的には、例えばチャンバー内の気体を排気するために生じ得る、例えば基板面に沿った排気の流れを、排気調整具（特にその側壁部）によって、排気調整具の内部で殆ど或いは全く発生しないようにすることができる。即ち、例えばチャンバー内における基板の配置或いはチャンバー内の気体をチャンバー外へ排気するための排気口の位置等によらず、塗布膜を基板面内で殆ど均一に乾燥させることができる。更に、塗布膜に含まれる溶媒が気化した気体は、排気調整具の内部から複数の開口部を介して排気調整具の外部へと排気されるので、排気方向は、例えば塗布膜が形成された基板面から複数の開口部が設けられた蓋部へ向けた方向で一定とすることができる。加えて、複数の開口部の形状或いは配置によって排気速度を調節することも可能である。即ち、仮に、このような複数の開口部が設けられた排気調整具で基板を覆わない場合に生じ得る排気速度或いは排気方向の差異に起因して、塗布膜の基板面における位置によって乾燥速度がばらついてしまうことを抑制或いは防止できる。よって、塗布膜が乾燥して形成される発光層の膜厚が不均一になってしまうことを抑制或いは防止できる、即ち、発光層のばらつきを抑制できる。また基板サイズが大きい場合であっても基板面内の塗布膜を均一に乾燥でき、発光層の膜厚のばらつきを抑制できる。
【０００９】
仮に、排気調整具によって基板を覆わないで、塗布膜の真空或いは減圧乾燥を行うとすれば、塗布膜の表面からの溶媒蒸気がチャンバー内の開放空間中に蒸発することとなる。この際、溶媒の蒸発速度は、チャンバーの排気口に近い側ほど大きくなってしまったり、或いはチャンバー形状によりチャンバー内で差異が生じてしまったりするおそれがある。このため、塗布膜の基板面における位置によって溶媒の除去速度（即ち、乾燥速度）が大きく異なってしまうおそれがある。これにより、特に大型パネルにおいて、パネル面内の発光むらが生じてしまうおそれがある。しかるに本発明によれば、上述の如き排気調整具によって基板を覆った状態で、塗布膜の真空或いは減圧乾燥を行うので、排気調整具内の空間の対流或いは拡散を通じて溶媒の蒸発が行われることとなる。このため、塗布膜の溶媒を、塗布膜の基板面における位置によらず、殆ど均一に蒸発させることができる。言い換えれば、排気調整具によって基板を覆うことにより、塗布膜の溶媒を、比較的狭い空間で乾燥させることができると共に、塗布膜表面の溶媒蒸気の対流或いは拡散を均一にすることができる。その結果、塗布膜の基板面における位置によって乾燥速度がばらついてしまうことを抑制或いは防止できる。
【００１０】
以上説明したように、本発明の第１の有機ＥＬパネルの製造方法によれば、塗布膜を基板面内で殆ど均一に乾燥させることができ、パネル面内における発光むらが低減された高品位の画像表示の可能な有機ＥＬパネルを製造することができる。
【００１１】
尚、本発明に係る「排気調整具」とは、上述したような、基板上における排気速度或いは排気方向を均一にし、乾燥速度を均一にするための道具或いは部品を意味する。このため、「排気調整具」は、排気速度或いは排気方向を均一にする「排気均一手段」、又は乾燥速度を均一にする「乾燥速度均一手段」などと言い換えることも可能である。
【００１２】
本発明の第１の有機ＥＬパネルの製造方法の一態様では、前記塗布液は、沸点が２００℃以上である高沸点溶媒を含む。
【００１３】
この態様によれば、例えばインクジェット法等による塗布の形成に適した高沸点溶媒が含まれるので、排気調整具によって一層効果的に塗布膜を基板面内で殆ど或いは均一に乾燥させることができる。
【００１４】
本発明の第１の有機ＥＬパネルの製造方法の他の態様では、前記複数の開口部は、前記蓋部において均一に形成される。
【００１５】
この態様によれば、複数の開口部は、典型的には、互いに同じ形状で且つ等間隔で形成される。よって、塗布膜に含まれる溶媒が気化した気体を排気する排気方向或いは排気速度を、基板面内における位置によらず殆ど一定にすることが確実にできる。従って、塗布膜が乾燥されて形成される発光層の膜厚を均一にすることができ、パネル面内における発光むらを一層確実に低減或いは防止できる。ここで、「蓋部において均一」とは、複数の開口部が互いに同じ形状であり、蓋部における複数の開口部の個数の密度が同じ場合や、複数の開口部が互いに異なる形状であり、蓋部における一定面積に対する複数の開口部が形成される面積の割合が、一定面積毎に同じ場合を意味する。
【００１６】
本発明の第１の有機ＥＬパネルの製造方法の他の態様では、前記複数の開口部の各々の開口面積は、前記基板の中央部に近い程大きい。
【００１７】
この態様によれば、基板の中央部付近の気体の排気速度を、基板の周辺部付近の気体の排気速度よりも大きくすることができる。よって、塗布膜のうち、基板の中央部上に形成された部分と、基板の周辺部に形成された部分とが夫々乾燥される乾燥速度の差を小さくすることができる。尚、ここで「開口部の開口面積」とは、基板の法線方向から見て、開口部が形成されている領域の面積を意味する。
【００１８】
本発明の第１の有機ＥＬパネルの製造方法の他の態様では、前記乾燥工程は、前記ステージの温度を、前記塗布膜の表面温度よりも高い第１所定温度に維持するように制御すると共に、前記排気調整具の温度を、前記表面温度よりも高い第２所定温度に維持するように制御する。
【００１９】
この態様によれば、ステージの温度は、塗布膜の表面温度よりも高い第１所定温度に維持されるので、基板を介して塗布膜を加熱することができ、塗布膜の乾燥を促進することができる。更に、排気調整具の温度が、塗布膜の表面温度よりも高い第２所定温度に維持されるので、塗布膜に含まれる溶媒が蒸発した気体が、排気調整具によって冷やされて結露してしまうことを低減或いは防止できる。このため、塗布膜の乾燥を促進すると共に、塗布膜の基板面内における乾燥むらをより一層低減できる。
【００２０】
更に、高沸点溶媒を用いるインクジェット法等により形成された塗布膜は、加熱のみで溶媒を完全に除去することが困難であり、真空乾燥する工程が必要となる。仮に、真空乾燥工程と熱ベーク工程を別々のチャンバーで行うとすれば、工程数が増加してしまうし、工程間を移動させる必要が出てきてしまう。更に、塗布膜の表面における溶媒蒸気の対流或いは拡散の制御が困難になってしまう。しかるに本態様によれば、基板を排気調整具で覆った状態で、ステージ及び排気調整具を加熱するので、排気調整具内の限られた空間で溶媒を蒸発させることができ、空間内の対流或いは拡散を基板（即ちパネル）全体で均一にすることができる。
【００２１】
上述したステージ及び排気調整具の各々の温度を維持するように制御する態様では、前記第１所定温度は、前記基板の中央部に近い程高いようにしてもよい。
【００２２】
この場合には、塗布膜を、基板の中央部に近い程加熱することができる。よって、塗布膜のうち、基板の中央部上に形成された部分と、基板の周辺部に形成された部分とが夫々乾燥される乾燥速度の差を小さくすることができる。
【００２３】
上述したステージ及び排気調整具の各々の温度を維持するように制御する態様では、前記ステージと前記側壁部と間に、互いに熱が移動するのを妨げる断熱部材が設けられてもよい。
【００２４】
この場合には、ステージ及び排気調整具の各々の温度を互いに独立して確実に制御することが可能となるので、塗布膜のうち、基板の中央部上に形成された部分と、基板の周辺部上に形成された部分とが夫々乾燥される乾燥速度の差をより一層小さくすることができる。
【００２５】
本発明の第２の有機ＥＬパネルの製造方法は上記課題を解決するために、基板上に有機ＥＬ材料を含む塗布液を塗布することによって塗布膜を形成する塗布工程と、前記基板を、チャンバー内でステージ上に載置し、前記ステージの温度を所定温度に保つように制御した状態で、前記チャンバー内の気体を排気することにより前記塗布膜を乾燥させる乾燥工程とを備える。
【００２６】
本発明の第２の有機ＥＬパネルの製造方法によれば、上述した第１の有機ＥＬパネルの製造方法と概ね同様に、塗布膜を乾燥させることによって発光層を形成する。
【００２７】
本発明の第２の有機ＥＬパネルの製造方法では特に、基板を、チャンバー内でステージ上に配置し、ステージの温度を所定温度に保つように制御した状態で、チャンバー内の気体を排気することにより塗布膜を乾燥させる。よって、ステージの温度は、塗布膜の表面温度よりも高い所定温度に維持されるので、基板を介して塗布膜を加熱することができる。従って、塗布膜の乾燥を促進すると共に、塗布膜の基板面内における乾燥むらを低減できる。
【００２８】
本発明の第２の有機ＥＬパネルの製造方法の一態様では、前記所定温度は、前記基板の中央部に近い程高い。
【００２９】
この態様によれば、塗布膜を、基板の中央部に近い程加熱することができる。よって、塗布膜のうち、基板の中央部上に形成された部分と、基板の周辺部に形成された部分とが夫々乾燥される乾燥速度の差を小さくすることができる。
【００３０】
本発明の第１の有機ＥＬパネルの製造装置は上記課題を解決するために、基板上に有機ＥＬ材料を含む塗布液が塗布されることによって塗布膜が形成された後に、前記塗布膜を乾燥させる有機ＥＬパネルの製造装置であって、前記基板を載置するためのステージと、前記基板の上方を覆うと共に複数の開口部が設けられた蓋部と前記基板の周囲を囲む側壁部とを有する排気調整具と、前記ステージ及び前記排気調整具が内部に配設されるチャンバーと、前記チャンバー内の気体を排気する排気手段とを備える。
【００３１】
本発明の第１の有機ＥＬパネルの製造装置によれば、上述した本発明の第１の有機ＥＬパネルの製造方法と同様に、塗布膜を基板面内で均一に乾燥させることができ、パネル面内における発光むらが低減或いは防止された高品位の画像表示の可能な有機ＥＬパネルを製造することができる。
【００３２】
本発明の第２の有機ＥＬパネルの製造装置は上記課題を解決するために、基板上に有機ＥＬ材料を含む塗布液が塗布されることによって塗布膜が形成された後に、前記塗布膜を乾燥させる有機ＥＬパネルの製造装置であって、前記基板を載置するためのステージと、前記ステージの温度を所定温度に保つように制御する温度制御手段と、前記ステージが内部に配設されるチャンバーと、前記チャンバー内の気体を排気する排気手段とを備える。
【００３３】
本発明の第２の有機ＥＬパネルの製造装置によれば、上述した本発明の第２の有機ＥＬパネルの製造装置と同様に、塗布膜の表面温度よりも高い所定温度に維持されたステージによって、基板を介して塗布膜を加熱することができる。従って、塗布膜の乾燥を促進すると共に、塗布膜の基板面内における乾燥むらを低減できる。
【００３４】
本発明の作用及び他の利得は次に説明する実施するための最良の形態から明らかにされよう。
【発明を実施するための最良の形態】
【００３５】
以下では、本発明の実施の形態について図を参照しつつ説明する。
【００３６】
＜第１実施形態＞
本発明の第１実施形態に係る有機ＥＬパネルの製造方法及び装置について、図１から図１２を参照して説明する。
【００３７】
＜有機ＥＬパネルの全体構成＞
先ず、本発明の有機ＥＬパネルの製造方法を適用することのできる有機ＥＬパネルの全体構成について、図１を参照して説明する。ここに図１は、有機ＥＬパネルの全体構成を示すブロック図である。ここでは、駆動回路内蔵型のアクティブマトリクス駆動方式の有機ＥＬパネルを例にとる。
【００３８】
図１において、有機ＥＬパネル１００の画像表示領域１１０には、縦横に配線されたデータ線１１４及び走査線１１２が設けられており、それらの交点に対応する各画素部７０はマトリクス状に配列されている。更に、画像表示領域１１０には各データ線１１４に対して配列された画素部７０に対応する電源供給線１１７が設けられている。
【００３９】
画像表示領域１１０の周辺に位置する周辺領域には、走査線駆動回路１３０及びデータ線駆動回路１５０が設けられている。走査線駆動回路１３０は複数の走査線１１２に走査信号を順次供給する。データ線駆動回路１５０は、画像表示領域１１０に配線されたデータ線１１４に画像信号を供給する。尚、走査線駆動回路１３０の動作と、データ線駆動回路１５０の動作とは、外部回路から供給される同期信号１６０によって相互に同期が図られる。電源供給線１１７には、外部回路から画素駆動用電源が供給される。図１中、一つの画素部７０に着目すれば、画素部７０には、有機ＥＬ素子７２が設けられると共に、例えばＴＦＴを用いて構成されるスイッチング用トランジスタ７６及び駆動用トランジスタ７４、並びに保持容量７８が設けられている。スイッチング用トランジスタ７６のゲート電極には走査線１１２が電気的に接続されており、スイッチング用トランジスタ７６のソース電極にはデータ線１１４が電気的に接続され、スイッチング用トランジスタ７６のドレイン電極には駆動用トランジスタ７４のゲート電極が電気的に接続されている。駆動用トランジスタ７４のソース電極には、電源供給線１１７が電気的に接続されており、駆動用トランジスタ７４のドレイン電極には有機ＥＬ素子７２の陽極が電気的に接続されている。尚、図１に例示した画素回路の構成の他にも、電流プログラム方式の画素回路、電圧プログラム方式の画素回路、電圧比較方式の画素回路、サブフレーム方式の画素回路等の各種方式の画素回路を採用することが可能である。
【００４０】
＜画素部の構成＞
次に、画素部７０の具体的な構成について、図２及び図３を参照して説明する。ここに図２は、任意の画素部の平面図であり、図３は、図２のＡ−Ａ´線での断面図である。尚、図２及び図３においては、各層・各部材を図面上で認識可能な程度の大きさとするため、各層・各部材ごとに縮尺を異ならしめてある。
【００４１】
図２及び図３において、例えば透明樹脂やガラス基板等の透明部材により構成される基板１０上には、スイッチング用トランジスタ７６及び駆動用トランジスタ７４の半導体層３が形成されている。半導体層３は例えば低温ポリシリコン技術を用いて形成される。半導体層３上には、半導体層３を埋め込んで、スイッチング用トランジスタ７６及び駆動用トランジスタ７４のゲート絶縁層２が形成されている。ゲート絶縁層２上に、駆動用トランジスタ７４のゲート電極３ａ及び走査線１１２が形成されている。走査線１１２の一部は、スイッチング用トランジスタ７６のゲート電極として形成されている。ゲート電極３ａ及び走査線１１２は、Ａｌ（アルミニウム）、Ｗ（タングステン）、Ｔａ（タンタル）、Ｍｏ（モリブデン）、Ｔｉ（チタン）、銅（Ｃｕ）等のうち少なくとも一つを含む金属材料を用いて形成されている。走査線１１２や駆動用トランジスタ７４のゲート電極３ａを埋め込んで、ゲート絶縁層２上には層間絶縁層４１が形成されている。層間絶縁層４１及びゲート絶縁層２は例えばシリコン酸化膜から構成されている。
【００４２】
層間絶縁層４１上には、例えばアルミニウム（Ａｌ）又はＩＴＯ（Indium Tin Oxide）を含む導電材料から夫々構成される、データ線１１４及び電源供給線１１７、更には駆動用トランジスタ７４のドレイン電極４２が形成されている。層間絶縁層４１には、層間絶縁層４１の表面から層間絶縁層４１及びゲート絶縁層２を貫通して、駆動用トランジスタ７４の半導体層３に至るコンタクトホール５０１及び５０２が形成されている。
【００４３】
図３に示すように、電源供給線１１７及びドレイン電極４２を構成する導電膜は、コンタクトホール５０１及び５０２の各々の内壁に沿って半導体層３の表面に至るように連続的に形成されている。保持容量７８の下部容量電極は、走査線１１２と同一の層に、例えば同様の材料を用いて形成され、電源供給線１１７の一部が保持容量７８の上部容量電極として形成されている。層間絶縁層４１は誘電体膜として形成されており、層間絶縁層４１の一部分が下部容量電極及び上部容量電極の間に挟持される。
【００４４】
層間絶縁層４１上には、電源供給線１１７及びドレイン電極４２を埋め込んで、保護層４５として例えばシリコン窒化膜（ＳｉＮ）が形成されている。保護層４５上には、例えばシリコン酸化膜よりなる第１バンク層４６が形成され、更に第１バンク層４６上に第２バンク層４７が形成されている。第１バンク層４６及び第２バンク層４７によって、画素部７０における有機ＥＬ層５０の形成領域が規定されている。
【００４５】
有機ＥＬ層５０の形成領域に、その表面が露出するように、保護層４５上に陽極３４が形成されている。陽極３４は、透明性導電材料としてＩＴＯを用いて、有機ＥＬ層５０の形成領域から延びてドレイン電極４２の一部と重畳するように形成されている。
【００４６】
有機ＥＬ層５０の形成領域において、陽極３４上には有機ＥＬ層５０が形成されている。有機ＥＬ層５０は、発光層５０ａ及び正孔注入層５０ｂを含んでいる。有機ＥＬ層５０において、基板１０上に、正孔注入層５０ｂ及び発光層５０ａは、この順に順次積層されている。尚、有機ＥＬ層５０は、正孔輸送層を含むようにしてもよいし、電子注入層又は電子輸送層（以下適宜、電子注入／輸送層と称する）を含むようにしてもよい。或いは、有機ＥＬ層５０は、発光層５０ａのみを含むようにしてもよい。
【００４７】
有機ＥＬ素子７２は、陽極３４及び陰極４９と、陽極３４及び陰極４９間に挟持される有機ＥＬ層５０を含む。尚、図３には封止基板について図示を省略してある。陰極４９は、例えばアルミニウム（Ａｌ）を含む金属材料を用いて形成されるか、又はカルシウム（Ｃａ）、フッ化リチウム（ＬｉＦ）、フッ化ストロンチウム（ＳｒＦ２）、マグネシウム（Ｍｇ）、銀（Ａｇ）等のうち少なくとも一つを含む金属材料を用いて形成された導電膜の積層膜として形成されている。
【００４８】
有機ＥＬパネルの駆動時、走査線１１２を介して走査信号が供給されることにより、スイッチング用トランジスタ７６がオン状態になる。スイッチング用トランジスタ７６がオン状態となると、データ線１１４より画像信号が保持容量７８に書き込まれる。この保持容量７８に書き込まれた画像信号の電流に応じて、駆動用トランジスタ７４の電気的な導通状態が決まる。そして、駆動用トランジスタ７４のチャネルを介して電源供給線１１７より、保持容量７８に書き込まれた画像信号に応じた電流が有機ＥＬ素子７２の陽極３４に供給されると、供給された電流に応じて有機ＥＬ層５０における発光層５０ａが発光する。本実施形態では、図３中、矢印Ｘで示すように、有機ＥＬ素子７２からの発光を基板１０側から表示光として出射させるボトムエミッション型として、有機ＥＬパネル１００は構成されている。尚、有機ＥＬパネルを封止基板側から表示光として有機ＥＬ素子７２の発光を出射させるトップエミッション型として構成してもよい。
【００４９】
次に、本実施形態に係る有機ＥＬパネルの製造方法及び装置について、図４から図１２を参照して説明する。ここに図４は、本実施形態に係る有機ＥＬパネルの製造プロセスの各工程を説明するためのフローチャートである。図５及び図６は、本実施形態に係る有機ＥＬのＥＬパネルを製造する一連の製造工程示す工程図である。尚、図５及び図６では、図３に示した画素部の断面図に対応して示してある。
【００５０】
先ず、図４及び図５（ａ）に示すように、基板１０上に、走査線１１２やデータ線１１４等の各種配線や、駆動用トランジスタ７４等の駆動素子を形成し、続いて、画素毎に陽極３４を形成し、更に、陽極３４より上層側に、第１及び第２バンク層４６及び４７を形成する（ステップＳ１０）。
【００５１】
次に、図４及び図５（ｂ）に示すように、正孔注入層５０ｂの形成材料を、インクジェット法により、画素部７０毎に陽極３４上に塗布する（ステップＳ１１）。その後、基板１０上に塗布された正孔注入層５０ｂの形成材料を、加熱或いはベーク処理することにより、正孔注入層５０ｂを成膜する（ステップＳ１２）。
【００５２】
次に、図４及び図６（ａ）に示すように、正孔注入層５０ｂ上に、インクジェット法（即ち、液滴吐出法）を用いて、発光層の形成材料（即ち、発光材料）を塗布する（ステップＳ１３）。より具体的には、基板１０上で平面的に見て、第１及び第２バンク層４６及び４７に囲まれた正孔注入層５０ｂ上に液滴吐出ヘッド部９００よりインクとして発光材料５４ａを選択的に塗布することにより、塗布膜５５ａを形成する。発光材料５４ａとしては、蛍光或いは燐光を発光することが可能な公知の発光材料を用いることができる。尚、発光波長帯域が光の三原色にそれぞれ対応した発光材料を用いることで、フルカラー表示を行うことが可能となる。即ち、赤色の発色光を発光する発光材料、緑色の発色光を発光する発光材料、及び青色の発色光を発光する発光材料を、それぞれ対応する画素部７０に吐出し塗布することにより、フルカラー表示を行うことが可能となる。
【００５３】
発光材料５４ａとして具体的には、（ポリ）フレオレン誘導体（ＰＦ）、（ポリ）パラフェニレン誘導体（ＰＰＰ）、ポリビニルカルバゾール（ＰＶＫ）、ポリチオフェン誘導体、ポリメチルフェニルシラン（ＰＭＰＳ）等のポリシラン系等の高分子系材料を好適に用いることができる。或いは、これらの高分子系材料に、ペリレン系色素、クマリン系色素、ローダミン系色素、ルブレン、ペリレン、９,１０−ジフェニルアントラセン、テトラフェニルブタジエン、ナイルレッド、クマリン６、キナクリドン等の低分子材料をドープして用いてもよい。
【００５４】
次に、図４及び図６（ｂ）に示すように、乾燥処理工程によって、発光材料５４ａが塗布されることにより形成された塗布膜５５ａを乾燥させる（ステップＳ１４）。即ち、塗布膜５５ａ中の溶媒を、蒸発させることで除去する。本実施形態では、溶媒としては、インクジェット法に適した、沸点が２００℃以上である高沸点溶媒が用いられている。
【００５５】
ここで、本実施形態に係る乾燥処理工程及び有機ＥＬパネルの製造装置について、図７及び図８を参照して詳細に説明する。ここに図７は、本実施形態に係る有機ＥＬパネルの製造装置を示す模式図であり、図８は、本実施形態に係るキャップの蓋部を示す平面図である。尚、図７では、基板１０上の画素部７０毎に形成された、駆動用トランジスタ７４等の駆動素子、陽極３４、第１及び第２バンク層４６及び４７等については図示を省略している。即ち、基板１０上の画像表示領域１１０（図１参照）には、図６（ａ）を参照して上述した塗布膜５５ａが複数形成されているが、図７では、基板１０上の画像表示領域１１０に形成された一の塗布膜５５ａとして表している。
【００５６】
図７に示すように、本実施形態では特に、乾燥処理工程（図４中、ステップＳ１４）において、塗布膜５５ａが形成された基板１０を、チャンバー６９０内でステージ６１０上に載置し、基板１０に対向するように配置されると共に複数の開口部６２３が設けられた蓋部６２１と基板１０の周囲を囲む側壁部６２２とを有するキャップ６２０で覆った状態で、チャンバー６９０内の気体を排気することにより塗布膜５５ａを真空或いは減圧乾燥させる。尚、キャップ６２０は、本発明に係る「排気調整具」の一例である。
【００５７】
即ち、乾燥処理工程において、先ず、塗布膜５５ａが形成された基板１０をチャンバー６９０内のステージ６１０上に載置する。
【００５８】
次に、ステージ６１０上に載置された基板１０を、キャップ６２０で覆う。キャップ６２０は、蓋部６２１及び側壁部６２２からなる。蓋部６２１は、基板１０に対向するように配置される。側壁部６２２は、蓋部６２１の周囲を囲むように設けられている。即ち、基板１０の塗布膜５５ａが形成された基板面は、蓋部６２１によって覆われ、基板１０の周囲は、側壁部６２２によって囲まれる。
【００５９】
図７及び図８に示すように、キャップ６２０の蓋部６２１には、円状の複数の開口部６２３が、ほぼ等間隔で設けられている、即ち、均一に形成されている。より具体的には、複数の開口部６２３は、直径が例えば２〜２０ｍｍ程度の一定の円状であり、例えば１０〜５０ｍｍの一定のピッチでマトリクス状に配列されている。
【００６０】
次に、このように基板１０を複数の開口部６２３が設けられたキャップ６２０で覆った状態で、チャンバー６９０内の気体を、排気ファン６８０によって排気口６８２を介して排気することにより、塗布膜５５ａを真空或いは減圧乾燥させる、即ち、塗布膜５５ａに含まれる溶媒を蒸発させることにより除去する。ここで、排気ファン６８０及び排気口６８２は、本発明に係る「排気手段」の一例である。排気ファン６８０は、チャンバー６９０の外部に設けられており、排気口６８２を介してチャンバー６９０内の気体をチャンバー６９０の外部へ排気するように構成されている。排気口６８２は、チャンバー６９０の壁面に少なくとも１箇所設けられており、チャンバー６９０内と排気ファン６８０との間を通気させる。このように構成されているので、塗布膜５５ａに含まれる溶媒が気化した気体を、キャップ６２０内部から複数の開口部６２３を介してキャップ６２０外部へ排気させ、更にチャンバー６９０外へと排気させることができる。即ち、塗布膜５５ａが形成された基板１０を、図８を参照して上述した如き、それぞれ円状で且つほぼ等間隔で形成された複数の開口部６２３が設けられたキャップ６２０によって覆うことにより、塗布膜５５ａに含まれる溶媒が気化した気体を排気する排気方向或いは排気速度を、基板１０の基板面内における位置によらず殆ど一定にする、即ち均一にすることができる。より具体的には、チャンバー６９０内の気体を排気するために生じ得る、基板１０の基板面に沿った排気の流れ（即ち、図７中、Ｘ方向或いはこれに交わるＹ方向に沿った排気の流れ）を、キャップ６２０（特にその側壁部６２２）によってキャップ６２０内部で殆ど或いは全く発生しないようにすることができる。即ち、チャンバー６９０内における基板１０の配置、或いはチャンバー６９０内の気体をチャンバー６９０外へ排気するための排気口６８２のチャンバー６９０における位置等によらず、塗布膜５５ａを基板１０の基板面内で殆ど均一に乾燥させることができる。更に、塗布膜５５ａに含まれる溶媒が気化した気体は、キャップ６２０内部から複数の開口部６２３を介してキャップ６２０外部へと排気されるので、排気方向は、塗布膜５５ａが形成された基板１０の基板面から複数の開口部６２３が設けられた蓋部６２１へ向けた方向（即ち、図７中、下から上へ示すブロック矢印の方向、つまり、Ｚ方向）で殆ど一定とすることができる。加えて、複数の開口部６２３の形状或いは蓋部６２１における配置によって、排気速度を調節することも可能である。即ち、仮に、このような複数の開口部６２３が設けられたキャップ６２０で基板１０を覆わない場合に生じ得る、基板面の位置による排気速度或いは排気方向の差異に起因して、塗布膜５５ａの、基板１０上における位置によって乾燥速度がばらついてしまうことを抑制或いは防止できる。よって、塗布膜５５ａが乾燥して形成される発光層５０ａの膜厚が不均一になってしまうことを抑制或いは防止できる、即ち、発光層５０ａのばらつきを抑制できる。言い換えれば、基板１０の基板サイズ（即ち、有機ＥＬパネルのサイズ）が大きい場合であっても基板面内の塗布膜５５ａを殆ど或いは好ましくは完全に均一に乾燥でき、発光層５０ａの膜厚のばらつきを抑制或いは防止できる。
【００６１】
仮に、キャップ６２０によって基板１０を覆わないで、塗布膜５５ａの真空或いは減圧乾燥を行うとすれば、塗布膜５５ａの表面からの溶媒蒸気がチャンバー６９０内の開放空間中に一気に蒸発することとなる。この際、溶媒の蒸発速度は、チャンバー６９０の排気口６８２に近い側ほど大きくなってしまうおそれがある。このため、塗布膜５５ａの基板１０上における位置によって溶媒の除去速度が大きく異なってしまうおそれがある。これにより、特に大型パネルにおいて、パネル面内の発光むらが生じてしまうおそれがある。しかるに本実施形態によれば、キャップ６２０によって基板１０を覆った状態で、塗布膜５５ａを乾燥させるので、キャップ６２０内の空間の対流或いは拡散を通じて溶媒の蒸発が行われることとなる。このため、塗布膜５５ａの溶媒を、基板１０上における位置によらず、殆ど均一に蒸発させることができる。言い換えれば、キャップ６２０によって基板１０を覆うことにより、塗布膜５５ａの溶媒を、チャンバー６９０内の全体空間よりも狭いキャップ６２０内の空間で乾燥させることができると共に、塗布膜５５ａ表面の溶媒蒸気の対流或いは拡散を均一にすることができる。その結果、塗布膜５５ａの基板１０上における位置によって乾燥速度がばらついてしまうことを抑制或いは防止できる。
【００６２】
次に、本実施形態の第１変形例について、図９を参照して説明する。ここに図９は、本実施形態の第１変形例における図８と同趣旨の平面図である。
【００６３】
図９に第１変形例として示すように、キャップ６２０の蓋部６２１に設けられる複数の開口部６２３は、各々の開口面積（即ち、基板１０の法線方向から見て、開口部６２３が形成されている領域の面積）が、基板１０の中央部に近い程大きくなるように構成してもよい。このようにすれば、基板１０の中央部付近の気体の排気速度を、基板１０の周辺部付近の気体の排気速度よりも大きくすることができる。よって、塗布膜５５ａのうち、基板１０の中央部上に形成された部分と、基板１０の周辺部に形成された部分とが夫々乾燥される乾燥速度の差を小さくすることができる。従って、発光層５０ａの膜厚のばらつきを、より一層確実に抑制或いは防止できる。
【００６４】
次に、本実施形態の第２変形例について、図１０を参照して説明する。ここに図１０は、本実施形態の第２変形例における図８と同趣旨の平面図である。
【００６５】
図１０に第２変形例として示すように、キャップ６２０の蓋部６２１に設けられる複数の開口部６２３は、各々が基板１０の一辺に沿った形状（即ち、図１０中、Ｙ方向に沿った形状）であり、該一辺に交わる方向（即ち、図１０中、Ｘ方向）に配列されるように構成してもよい。このようにすれば、例えば、該一辺に交わる方向（即ち、図１０中、Ｘ方向）に移動させつつ、基板１０の一端から順に乾燥させる場合においても、基板面内の塗布膜５５ａを殆ど均一に乾燥でき、発光層５０ａの膜厚のばらつきを抑制できる。
【００６６】
更に、再び図７において、本実施形態では特に、乾燥処理工程（図４中、ステップＳ１４参照）において、ステージ６１０の温度を、塗布膜５５ａの表面温度よりも高い温度に維持するように制御或いは加熱する。即ち、ステージ６１０は、温度コントローラ６４０によって、その温度制御が可能に構成された、例えばホットープレートであり、本実施形態では、室温とされるチャンバー６９０内において、ステージ６１０の温度は、塗布膜５５ａの表面温度よりも高い、例えば３５℃から４５℃の範囲内の温度となるように、温度コントローラ６４０によって制御されている。よって、基板１０を介して塗布膜５５ａを、殆ど均一に加熱することができる。従って、塗布膜の乾燥を促進すると共に、塗布膜５５ａの基板面内における乾燥むらをより一層低減できる。その結果、発光層５０ａの膜厚のばらつきを抑制できる。
【００６７】
加えて、図７において、本実施形態では特に、乾燥処理工程（図４中、ステップＳ１４参照）において、キャップ６２０の温度を、塗布膜５５ａの表面温度よりも高い温度に維持するように制御或いは加熱する。即ち、キャップ６２０は、温度コントローラ６３０によって、その温度制御が可能に構成されており、本実施形態では、室温（例えば、２０℃から２５℃程度）とされるチャンバー６９０内において、キャップ６２０の温度は、塗布膜５５ａの表面温度よりも高い、例えば３５℃から４５℃の範囲内の温度となるように、温度コントローラ６３０によって制御されている。よって、キャップ６２０内部の飽和蒸気圧を高めることができる。従って、仮に、キャップ６２０を加熱しないでステージ６１０を加熱した場合と比較して、塗布膜５５ａの表面から蒸発した溶媒がキャップ６２０の内面で冷やされて結露してしまうことを低減或いは防止できる。また、仮に、キャップ６２０を加熱しないでステージ６１０を加熱した場合には、塗布膜５５ａの溶媒の蒸発速度が大きくなりすぎて、キャップ６２０による排気速度或いは排気方向を均一にする効果が低減してしまうおそれがある。しかるに本実施形態では特に、ステージ６１０に加えて、キャップ６２０も加熱するので、キャップ６２０内部を、塗布膜５５ａから蒸発した溶媒である程度満たすことができる。よって、塗布膜５５ａの溶媒の蒸発速度を抑制できる。従って、キャップ６２０内の空間における溶媒蒸気の対流或いは拡散を均一にすることができる。その結果、塗布膜５５ａの基板１０上における乾燥むらをより一層低減できる。尚、キャップ６２０の温度制御は、キャップ６２０の全体を、塗布膜５５ａの表面温度よりも高い温度に維持するように制御してもよいし、キャップ６２０の内壁或いは内面（即ち、基板１０に対向する面）だけの温度を同様に制御してもよい。或いは、キャップ６２０の例えば蓋部６２１等のような一部だけの温度を同様に制御するようにしてもよい。
【００６８】
図７において、本実施形態では特に、ステージ６１０とキャップ６２０の側壁部６２２と間に、互いに熱が移動するのを妨げる断熱部材６５０が設けられている。即ち、断熱部材６５０は、基板１０を囲むように且つステージ６１０と側壁部６２２との間に設けられている。
よって、キャップ６２０及びステージ６１０を互いに独立して温度制御することができる。従って、塗布膜５５ａのうち、基板１０の中央部上に形成された部分と、基板１０の周辺部上に形成された部分とが夫々乾燥される乾燥速度を、より一層精度よく制御でき、乾燥速度の差をより一層小さくすることができる。
【００６９】
図１１は、乾燥処理工程（図４中、ステップＳ１４参照）おける、キャップ６２０の有無、キャップ６２０の温度制御の有無、及びステージ６１０の温度制御の有無のそれぞれをパラメータとして、有機ＥＬパネルを製造した場合の、画素部７０のパネル面内の輝度ばらつき（以下、単に「面内輝度ばらつき」とも呼ぶ）を測定した実施例１〜４を比較例と共に示している。尚、各実施例では、キャップ６２０及びステージ６１０の温度制御はいずれも４０℃で一定とした。パネル面内の輝度ばらつきは、パネルの中央部及び四隅付近のそれぞれ一箇所の画素部の輝度を測定し、それらの輝度のばらつきの範囲として、図１１中、面内輝度ばらつきに係る項目７１０、７１１、７１２、７１３及び７１４に示してある。
【００７０】
画素部７０の面内輝度ばらつきは、画素部７０における発光層５０ａの膜厚のばらつきと相関関係がある。即ち、基板面内の発光層５０ａの膜厚のばらつきが大きい程、面内輝度ばらつきは大きく、逆に、基板面内の発光層５０ａの膜厚のばらつきが小さい程、面内輝度ばらつきは小さい。
【００７１】
図１１中、比較例として示すように、基板１０をキャップ６２０で覆わず、且つ、ステージ６１０の温度制御を行わない場合には、面内輝度ばらつきは±３０％となった（面内輝度ばらつきに係る項目７１０参照）。本実験も含め、乾燥処理後のベークは、ステージ温度のみを１３０℃に設定し行った。
【００７２】
図１１中、実施例１として示すように、基板１０をキャップ６２０で覆い、且つ、キャップ６２０及びステージ６１０のいずれの温度制御も行わない場合には、面内輝度ばらつきは±１５％となった（面内輝度ばらつきに係る項目７１１参照）。よって、基板１０をキャップ６２０で覆うことにより、比較例に比べて、面内輝度ばらつきを低減できる、即ち、基板面内の発光層５０ａの膜厚のばらつきを低減できる。尚、実施例１では、比較例に比べて、面内輝度ばらつきは約半分にまで低減されている。
【００７３】
図１１中、実施例２として示すように、基板１０をキャップ６２０で覆い、且つ、キャップ６２０のみを４０℃で一定となるように温度制御した場合には、面内輝度ばらつきは±１０％となった（面内輝度ばらつきに係る項目７１２参照）。よって、基板１０をキャップ６２０で覆うことにより、比較例に比べて、面内輝度ばらつきを低減できると共に、キャップ６２０を４０℃で一定となるように制御することにより、実施例１に比べて、更に面内輝度ばらつきを低減できる、即ち、基板面内の発光層５０ａの膜厚のばらつきを低減できる。
【００７４】
図１１中、実施例３として示すように、基板１０をキャップ６２０で覆い、且つ、ステージ６１０のみを４０℃で一定となるように温度制御した場合には、面内輝度ばらつきは±１２％となった（面内輝度ばらつきに係る項目７１３参照）。よって、基板１０をキャップ６２０で覆うことにより、比較例に比べて、面内輝度ばらつきを低減できると共に、ステージ６１０を４０℃で一定となるように制御することにより、実施例１に比べて、更に面内輝度ばらつきを低減できる、即ち、基板面内の発光層５０ａの膜厚のばらつきを低減できる。
【００７５】
図１１中、実施例４として示すように、基板１０をキャップ６２０で覆い、且つ、キャップ６２０及びステージ６１０を４０℃で一定となるように温度制御した場合には、面内輝度ばらつきは±１０％となった（面内輝度ばらつきに係る項目７１４参照）。よって、基板１０をキャップ６２０で覆うことにより、比較例に比べて、面内輝度ばらつきを低減することができると共に、キャップ６２０及びステージ６１０を４０℃で一定となるように制御することにより、実施例１に比べて、更に面内輝度ばらつきを低減することができる、即ち、基板面内の発光層５０ａの膜厚のばらつきを低減できる。
【００７６】
図１２は、ステージを温度制御する場合における、ステージの制御温度と面内輝度ばらつきとの関係を示すグラフである。尚、面内輝度ばらつきは、パネルの中央部及び四隅付近のそれぞれ一箇所の画素部の輝度を測定し、それらの輝度のばらつきを示したものである。
【００７７】
図１２において、データＣ１は、乾燥処理工程（図４中、ステップＳ１４参照）において、基板１０をキャップ６２０で覆い、且つステージ６１０のみの温度を制御する場合の、基板１０の温度と面内輝度ばらつきとの関係を示している。
【００７８】
図１２のデータＣ１に示すように、ステージ６１０の温度（言い換えれば、基板１０の温度）を３５℃から４５℃の範囲の温度で一定となるように制御した場合には、ステージ６１０の温度が３５℃未満或いは４５℃を超える温度で一定となるように制御した場合に比較して、面内輝度ばらつきを低減できる。尚、面内輝度ばらつきは４０℃付近で極小となるので、乾燥処理工程において、ステージ６１０の温度を４０℃付近で一定となるように制御することが望ましい。
【００７９】
再び図４において、乾燥処理された塗布膜５５ａに対して、加熱或いはベーク処理を行うことにより、発光層５０ａを形成する（ステップＳ１５）。即ち、正孔注入層５０ｂ及び発光層５０ａからなる有機ＥＬ層５０を形成する。その後、有機ＥＬ層５０上に陰極４９を形成し（ステップＳ１６）、有機ＥＬ素子７２を例えば封止基板により封止する。
【００８０】
以上説明したように、本実施形態の有機ＥＬパネルの製造方法によれば、塗布膜５５ａを基板１０の基板面内で殆ど均一に乾燥させることができ、画像表示領域１１０内における発光むらが低減された高品位の画像表示の可能な有機ＥＬパネルを製造することができる。
【００８１】
尚、本実施形態の如く、基板１０をキャップ６２０で覆い、且つ、キャップ６２０やステージ６１０の温度を制御する場合に限らず、図１１を参照して説明したように、キャップ６２０及びステージ６１０の温度を制御しない場合であっても、基板１０をキャップ６２０で覆った状態で、塗布膜５５ａの乾燥処理を行うことにより、発光層５０ａの膜厚のばらつきを低減できる（図１１中、実施例１参照）。
＜第２実施形態＞
次に、第２実施形態に係る有機ＥＬパネルの製造方法及び装置について、図１３及び図１４を参照して説明する。ここに図１３は、第２実施形態における図７と同趣旨の模式図である。図１４は、第２実施形態に係る有機ＥＬパネルの製造装置のステージを示す平面図である。尚、図１３及び図１４において、図１から図１２に示した第１実施形態に係る構成要素と同様の構成要素に同一の参照符合を付し、それらの説明は適宜省略する。
【００８２】
図１３において、第２実施形態に係る有機ＥＬパネルの製造装置は、図７を参照して上述した第１実施形態に係る有機ＥＬパネルの製造装置のステージ６１０及び温度コントローラ６４０の各々に代えて、ステージ８１０及び温度コントローラ８４０を備えている点で、第１実施形態に係る有機ＥＬパネルの製造装置と異なる。
【００８３】
図１３において、本実施形態では特に、乾燥処理工程（図４中、ステップＳ１４参照）において、ステージ８１０の温度を、基板１０の中央部に近い程高くなるように制御する。
【００８４】
即ち、図１３及び図１４に示すように、ステージ８１０は、例えばペルチェ素子等の温度制御が可能な複数の分割部分８１１からなり、図１４に示すように、複数の分割部分８１１は、格子上に配列されている。より具体的には、ステージ８１０は、例えば、一辺の長さが３００〜４００ｍｍ程度の基板１０を乾燥させる場合には、５０ｍｍ角程度の大きさの複数の分割部分８１１が縦横に６〜１０個程度マトリクス状に配列されることにより構成されている。複数の分割部分８１１は、温度コントローラ８４０によって、それぞれ互いに独立して温度制御可能に構成されている。乾燥工程において、温度コントローラ８４０によって、複数の分割部分８１１は、基板１０の中央部に近いもの程高くなるように制御される。よって、塗布膜５５ａを、基板１０の中央部に近い程加熱することができる。従って、塗布膜５５ａのうち、基板１０の中央部上に形成された部分と、基板１０の周辺部に形成された部分とが夫々乾燥される乾燥速度の差を小さくすることができる。その結果、基板面内の発光層５０ａの膜厚のばらつきを低減でき、画像表示領域１１０内における発光むらが低減された高品位の画像表示の可能な有機ＥＬパネルを製造することができる。
＜第３実施形態＞
次に、第３実施形態に係る有機ＥＬパネルの製造方法及び装置について、図１５を参照して説明する。ここに図１５は、第３実施形態における図１３と同趣旨の模式図である。尚、図１５において、図１から図１４に示した第１及び第２実施形態に係る構成要素と同様の構成要素に同一の参照符合を付し、それらの説明は適宜省略する。
【００８５】
図１５において、第３実施形態に係る有機ＥＬパネルの製造装置は、図１３を参照して上述した第２実施形態に係る有機ＥＬパネルの製造装置と比較して、キャップ６２０、温度コントローラ６３０及び断熱部材６５０を備えていない点で、第２実施形態に係る有機ＥＬパネルの製造装置と異なる。その他の構成は、第２実施形態に係る有機ＥＬパネルの製造装置を概ね同様である。
【００８６】
図１５において、本実施形態では特に、上述した第２実施形態と同様に、乾燥処理工程（図４中、ステップＳ１４）において、ステージ８１０の温度を、基板１０の中央部に近い程高くなるように制御する。即ち、乾燥処理工程において、温度コントローラ８４０によって、複数の分割部分８１１は、基板１０の中央部に近いもの程高くなるように制御される。よって、塗布膜５５ａを、基板１０の中央部に近い程加熱することができる。従って、塗布膜５５ａのうち、基板１０の中央部上に形成された部分と、基板１０の周辺部に形成された部分とが夫々乾燥される乾燥速度の差を小さくすることができる。即ち、塗布膜５５ａを基板面内で均一に乾燥させることができ、パネル面内における発光むらが低減或いは防止された高品位の画像表示の可能な有機ＥＬパネルを製造することができる。
【００８７】
本発明は、上述した実施形態に限られるものではなく、請求の範囲及び明細書全体から読み取れる発明の要旨或いは思想に反しない範囲で適宜変更可能であり、そのような変更を伴う有機ＥＬパネルの製造方法及び装置もまた本発明の技術的範囲に含まれるものである。
【図面の簡単な説明】
【００８８】
【図１】有機ＥＬパネルの全体構成を示すブロック図である。
【図２】有機ＥＬパネルの画素部の平面図である。
【図３】図２のＡ−Ａ´線断面図である。
【図４】有機ＥＬパネルの製造プロセスの各工程を説明するためのフローチャートである。
【図５】有機ＥＬのＥＬパネルを製造する一連の製造工程示す工程図（その１）である。
【図６】有機ＥＬのＥＬパネルを製造する一連の製造工程示す工程図（その２）である。
【図７】第１実施形態に係る有機ＥＬパネルの製造装置を示す模式図である。
【図８】第１実施形態に係るキャップの蓋部を示す平面図である。
【図９】第１変形例における図８と同趣旨の平面図である。
【図１０】第２変形例における図８と同趣旨の平面図である。
【図１１】パネル面内の輝度ばらつきを測定した結果を示す表である。
【図１２】ステージの制御温度と面内輝度ばらつきとの関係を示すグラフである。
【図１３】第２実施形態における図７と同趣旨の模式図である。
【図１４】第２実施形態に係る有機ＥＬパネルの製造装置のステージを示す平面図である。
【図１５】第３実施形態における図１３と同趣旨の模式図である。
【符号の説明】
【００８９】
１０…基板、５５ａ…塗布膜、６１０…ステージ、６２０…キャップ、６２１…蓋部、６２２…側壁部、６２３…開口部、６３０、６４０…温度コントローラ、６５０…断熱部材、６８０…排気ファン、６８２…排気口、６９０…チャンバー
【図１】
2007234390.tif 000003
【図２】
2007234390.tif 000004
【図３】
2007234390.tif 000005
【図４】
2007234390.tif 000006
【図５】
2007234390.tif 000007
【図６】
2007234390.tif 000008
【図７】
2007234390.tif 000009
【図８】
2007234390.tif 000010
【図９】
2007234390.tif 000011
【図１０】
2007234390.tif 000012
【図１１】
2007234390.tif 000013
【図１２】
2007234390.tif 000014
【図１３】
2007234390.tif 000015
【図１４】
2007234390.tif 000016
【図１５】
2007234390.tif 000017